(57)【要約】【課題】電池交換後に光軸調整や検知エリア調整を不要とする、物体検知装置を提供する。【解決手段】検知素子５を含むセンサ本体６０と、センサ本体６０の背面６０ａに一部または全部が位置する収納ボックス２１とを備え、センサ本体６０からの出力信号を無線送信する送信器５０を収納する送信器収納部２５と、センサ本体６０および送信器２５に給電する電池８０を保持する電池保持部７１とを有し、電池保持部７１は、センサ本体６０が収納ボックス２１から分離されない状態で電池保持部７１に保持されている電池８０の交換を可能にするように、電池保持部８０を開放する保持部開放手段４０を含む。【選択図】図５
2014167741.tif 000002
【特許請求の範囲】
【請求項１】
検知素子を含むセンサ本体と、
前記センサ本体の背面に一部または全部が位置する収納ボックスとを備えた物体検知装置であって、
前記センサ本体からの出力信号を無線送信する送信器を収納する送信器収納部と、
前記センサ本体および前記送信器に給電する電池を保持する電池保持部とを有し、
前記電池保持部は、前記センサ本体が前記収納ボックスから分離されない状態で前記電池保持部に保持されている電池の交換を可能にするように、前記電池保持部を開放する保持部開放手段を含む、物体検知装置。
【請求項２】
請求項１に記載の物体検知装置において、
前記保持開放手段が、前記電池保持部に開閉自在に設けられて前記電池を覆う電池カバーである、物体検知装置。
【請求項３】
請求項１または２に記載の物体検知装置において、さらに、
前記センサ本体を覆う本体カバーを備え、
この本体カバーは前記電池カバーとは別個に形成されて、これら本体カバーおよび前記電池カバーが、前記収納ボックスに装着される、物体検知装置。
【請求項４】
請求項１から３のいずれか一項に記載の物体検知装置において、さらに、
前記保持部開放手段が前記保持部を開放すると、タンパ信号を発生するタンパスイッチを備えた、物体検知装置。
【請求項５】
請求項１から４のいずれか一項に記載の物体検知装置において、
前記本体カバーは前記センサ本体への取付部を有し、
前記電池カバーは、前記取付部の少なくとも一部を覆って、この取付部へのアクセスを阻止する、物体検知装置。
【請求項６】
請求項１に記載の物体検知装置において、さらに、
前記センサ本体を覆う本体カバーと、
前記電池保持部に開閉自在に設けられて前記電池を覆う電池カバーとを備え、
前記本体カバーと前記電池カバーとを含む単一のカバーユニットが、前記収納ボックスに装着されている、物体検知装置。
【請求項７】
請求項１から６のいずれか一項に記載の物体検知装置において、
前記送信器収納部と前記電池保持部が、単一物である前記収納ボックスに形成されている、物体検知装置。
【請求項８】
請求項１から７のいずれか一項に記載の物体検知装置において、
前記送信器収納部が前記センサ本体の背面領域に配置され、前記電池保持部が前記センサ本体の背面領域から離れた離間領域に配置されている、物体検知装置。
【請求項９】
請求項１から８のいずれか一項に記載の物体検知装置において、
前記送信器が、市販の送信器の中から任意に選択され組み合わされた、物体検知装置。
【発明の詳細な説明】
【技術分野】
【０００１】
本発明は、物体を検知して、その検知した情報を含む検知信号を出力する電池駆動式の物体検知装置に関する。
【背景技術】
【０００２】
従来から、赤外線のような検知線を用いて物体を検知するＡＩＲ型（能動型赤外線方式）やＰＩＲ型（受動型赤外線方式）の物体検知システムが知られている。このような物体検知システムは、一般には配線接続により検知信号を管理装置に伝送する。これに対して、配線接続による設置コスト（線材費用、工事費および施工時間などのためのコスト）を低減するために、物体検知信号を、送信器から管理装置などに含まれる受信器に無線送信するものがある。この物体検知システムでは、送信器として市販の汎用のものを用い、この送信器と物体検知装置のセンサ本体とに給電する電池を装着することが提案されている（例えば、特許文献１）。保持された電池が消耗すると、新しい電池に交換される。
【先行技術文献】
【特許文献】
【０００３】
【特許文献１】国際公開第２０１０／０８４５５８号
【発明の概要】
【発明が解決しようとする課題】
【０００４】
このような装置では、ユーザが市販の送信器の中から任意に選択した送信器が、センサ本体の背面に形成された収納ボックスに収納される。この装置は、また、物体検知装置および送信器を駆動するための電源となる電池を保持する電池保持部が、収納ボックスの空間の一部に構成される。したがって、電池を交換するためには、センサ本体を、その背面の収納ボックスと分離させるように取り外すか、または、物体検知装置を取り付ける取付板から収納ボックスごと取り外す必要がある。
【０００５】
一方、ＡＩＲ型の物体検知システムでは、投光器または受光器からなるセンサ本体を含む物体検知装置を設置した後に、光軸調整、すなわち、検知線の投光器と受光器との光軸を一致させるために調整が行われる。したがって、電池が交換されるたびに、取り外したセンサ本体を、その背面に収納ボックスが配置されるように、物体検知装置に戻して取り付けられるか、または、センサ本体を含む物体検知装置が取付板に戻して取り付けられると、そのたびに光軸調整が必要である。なお、投光器と受光器がある程度以上離れている場合には、投光器と受光器のそれぞれを調整する２人の作業者による光軸調整が必要となり、費用および手間のかかる作業が発生する。
【０００６】
ＰＩＲ型の物体検知装置であっても、センサ本体を設置した後には検知エリアの調整が必要である。したがって、電池が交換されるたびに、検知エリアが調整される。
【０００７】
そこで、本発明は、電池交換後に光軸調整や検知エリア調整を不要とする、電池駆動式の物体検知装置を提供することを目的とする。
【課題を解決するための手段】
【０００８】
上記目的を達成するために、本発明の一構成にかかる、電池駆動式の物体検知装置は、検知素子を含むセンサ本体と、前記センサ本体の背面に一部または全部が位置する収納ボックスとを備えた物体検知装置であって、前記センサ本体からの出力信号を無線送信する送信器を収納する送信器収納部と、前記センサ本体および前記送信器に給電する電池を保持する電池保持部とを有し、前記電池保持部は、前記センサ本体が前記収納ボックスから分離されない状態で前記電池保持部に保持されている電池の交換を可能にするように、前記電池保持部を開放する保持部開放手段を含む。
【０００９】
この物体検知装置によれば、前記電池保持部は、前記センサ本体が前記収納ボックスから分離されない状態で前記保持部に保持されている電池の交換を可能にするように、前記保持部を開放する保持部開放手段を含むため、電池交換時に、センサ本体を当該物体検知装置から取り外したり、当該物体検知装置を取付板から取り外したりする必要がない。このため、電池交換後に光軸調整や検知エリア調整が不要である。
【００１０】
好ましい実施形態においては、前記保持開放手段が、前記電池保持部に開閉自在に設けられて前記電池を覆う電池カバーである。この構成によれば、前記保持開放手段が、前記電池保持部に開閉自在に設けられて前記電池を覆う電池カバーであるため、簡易な構成でありながら、前記センサ本体が前記収納ボックスから分離されない状態で前記保持部に保持されている電池の交換を可能にする。
【００１１】
さらに好ましい実施形態においては、さらに、前記センサ本体を覆う本体カバーを備え、この本体カバーは前記電池カバーとは別個に形成されて、これら本体カバーおよび前記電池カバーが、前記収納ボックスに装着される。この構成によれば、本体カバーと電池カバーとが別個に形成されているため、電池交換時に電池カバーが電池保持部を開放しても、本体カバーはセンサ本体を覆ったままである。
【００１２】
さらに好ましい実施形態においては、前記保持部開放手段が前記保持部を開放すると、タンパ信号を発生するタンパスイッチを備える。これにより、いたずらなどによって電池が取り出される可能性を検知できる。
【００１３】
さらに好ましくは、前記本体カバーは前記収納ボックスへの取付部を有し、前記電池カバーは、前記取付部の少なくとも一部を覆って、この取付部へのアクセスを阻止する。この構成によれば、電池カバーが、センサ本体を覆う本体カバーの開放を許可する取付部を覆って取付部へのアクセスを阻止するので、電池カバーが開放されない限り、本体カバーの開放は許可されない。したがって、タンパスイッチのようにカバーの開放を検知するスイッチは電池カバーのみに設けられれば十分であり、このタンパスイッチによって本体カバーが開放される可能性も検知できる。
【００１４】
別の好ましい実施形態においては、さらに、前記センサ本体を覆う本体カバーと、前記電池保持部に開閉自在に設けられて前記電池を覆う電池カバーとを備え、前記本体カバーと前記電池カバーとを含む単一のカバーユニットが、前記収納ボックスに装着されている。
【００１５】
好ましくは、前記送信器収納部と前記電池保持部が、単一物である前記収納ボックスに形成されている。収納ボックスが単一物であるため、ポールや壁などの被装着部に当該物体検知装置を取り付けるには、この収納ボックスのみを取り付ければよく、装着が簡単に済む。
【００１６】
さらに好ましくは、前記送信器収納部が前記センサ本体の背面領域に配置され、前記電池保持部が前記センサ本体の背面領域から離れた離間領域に配置されている。送信器収納部が配置されたセンサ本体の背面領域から離れた離間領域に電池収納部が配置されているため、電池が送信器の電波に影響を与えて干渉することを防止できる。また、送信器収納部が収納する送信器が市販の汎用のものの場合、送信器の仕様は様々であることより、送信器が電池によって受ける影響を予想するのは困難であるが、送信器収納部を電池保持部から離間させておくことで、干渉の防止が保証される。
【００１７】
さらに好ましくは、前記送信器が、市販の送信器の中から任意に選択され組み合わされたものである。すなわち、前記送信器は市販の汎用のものであってもよい。このように、送信器収納部に収納される送信器は制限された一定のものではないため、当該物体検知装置のユーザにとっては使い勝手が良い。
【発明の効果】
【００１８】
本発明の物体検知装置によれば、電池交換後に光軸調整や検知エリア調整が不要である。
【図面の簡単な説明】
【００１９】
【図１】本発明の第１実施形態に係る物体検知装置を含む物体検知システムを示す斜視図である。
【図２】（Ａ）〜（Ｄ）は図１の物体検知装置を示す図であって、（Ａ）は斜視図、（Ｂ）は側面図、（Ｃ）は正面図、（Ｄ）は上面図である。
【図３】（Ａ）〜（Ｅ）は図２の物体検知装置の本体カバーを示す図であって、（Ａ）は正面図、（Ｂ）は側面図、（Ｃ）は背面図、（Ｄ）は上面図、（Ｅ）は下面図である。
【図４】（Ａ）〜（Ｅ）は図２の物体検知装置の電池カバーを示す図であって、（Ａ）は正面図、（Ｂ）は側面図、（Ｃ）は背面図、（Ｄ）は上面図、（Ｅ）は下面図である。
【図５】図２の物体検知装置の分解斜視図である。
【図６】（Ａ）〜（Ｄ）は図５の物体検知装置の収納ボックスを示す図であって、（Ａ）は正面図、（Ｂ）は側面図、（Ｃ）は上面図、（Ｄ）は下面図である。
【図７】（Ａ）および（Ｂ）は本発明の第２実施形態に係る物体検知装置を示す斜視図であり、（Ａ）は当該物体検知装置を下方から見た図、（Ｂ）は当該物体検知装置を上方から見た図である。
【発明を実施するための形態】
【００２０】
以下、本発明の各実施形態を図面に基づいて説明する。
図１に、本発明の第１実施形態に係る物体検知装置を含む物体検知システムＳを示す。この物体検知システムＳは、人体などを検知して検知信号を出力する防犯センサ装置であって、例えば、電池で駆動される投光器１と、この投光器１と相対向して配置され電池で駆動される受光器２とを備えたＡＩＲ型（能動型）である。ここで、後述する送信器収納部を備えた投光器１および受光器２が、それぞれ、本発明の第１実施形態に係る物体検知装置である。
【００２１】
まず、この物体検知システムＳについて説明する。物体検知システムＳの投光器１は、上下方向に配置された２つの投光素子３，３を有し、受光器２もこれら２つの投光素子３，３とほぼ同じ間隔で上下方向に配置された２つの受光素子（検知素子）５，５を有する。各投光素子３，３および各受光素子５，５の前方には、それぞれレンズ６３，６３，６３，６３が設けられている。これら２つの投光素子３，３からそれぞれ投光された２つの赤外線ＩＲのような検知線は、２つの受光素子５，５でそれぞれ受光される。
【００２２】
投光器１および受光器２は、それぞれポールや壁などの被装着部Ｋ，Ｋに装着される。なお、本明細書において、特段に断りがない限り、投光器１や受光器２における方向は、これらが被装着部Ｋに装着された状態を基準とする。また、投光器１や受光器２の前後方向については、対向する方向を前方向とし、背向する方向を後方向とする。物体検知システムＳは、投光器１と受光器２を結ぶほぼ直線的な区域である警戒区域における物体を検知する。
【００２３】
投光器１の投光素子３，３からの検知線ＩＲ，ＩＲが物体により遮光されて、受光器２の受光素子５，５で受信される検知信号の信号レベル（受光量）が所定レベル以下になると、受光器２の後述する送信器収納部が収納する送信器から検知信号を出力する。
【００２４】
この物体検知システムＳでは、投光器１および受光器２のそれぞれが、本実施形態に係る物体検知装置に該当する。したがって、以下に説明する受光器２の、受光機能に関連する構成要素を除いたその他の構成要素を、投光器１も同様に備える。
【００２５】
図２（Ａ）〜（Ｄ）に、受光器２から構成される物体検知装置を示す。受光器２はケース２０を備える。このケース２０は、上下方向に長手方向が沿う中空の略直方形状である。そして、ケース２０は、収納ボックス２１、この収納ボックス２１の前面に取り付けられる本体カバー３０、および本体カバー３０の下側で収納ボックス２１の前面に取り付けられる電池カバー（保持開放手段）４０から構成される。収納ボックス２１は背面２１ａを有し、この背面２１ａが被装着部Ｋ（図１）に当接されて装着される。
【００２６】
本体カバー３０および電池カバー４０は、いずれも略半円筒状である。本体カバー３０は、長手方向に沿って上側部分が下側部分よりも大きい径を有する段状である。この下側部分は、電池カバー４０とほぼ同一の径を有する。
【００２７】
図３（Ａ）〜（Ｅ）に、本体カバー３０を示す。本体カバー３０は、上端に略半円状の上端面３１、下端に略半円状の下端面３２を有する。本体カバー３０は、また、上端部の背面に係合爪３３を有し、下端部に本体カバー貫通孔３４を有する。これら係合爪３３と貫通孔３４によって、本体カバー３０の取付部３５が構成される。
【００２８】
図４（Ａ）〜（Ｅ）に、電池カバー４０を示す。電池カバー４０は、上端は開口し、下端に略半円状の下端面４１を有する。電池カバー４０は、また、上端部の背面の両側方に係合フック４２，４２を有し、下端部に電池カバー貫通孔４３を有する。電池カバー４０の背面には、後述するタンパスイッチに対応した突起４４が設けられている。
【００２９】
図５に示すように、収納ボックス２１には、上下方向に２つの第１および第２の収納空間２２，２３が形成されている。第１の収納空間２２が第２の収納空間２３よりも上側に位置する。
【００３０】
第１の収納空間２２は、送信器５０を収納する送信器収納部２５を含む。この送信器収納部２５の前方にセンサ本体６０が配置され、センサ本体６０の背面６０ａに収納ボックス２１の一部が位置してセンサ本体６０を支持する。なお、センサ本体６０の背面６０ａに収納ボックス２１の全部が位置してもよい。したがって、送信器収納部２５は、センサ本体６０が収納ボックス２１で支持された状態では、センサ本体６０の背面領域２７に配置される。
【００３１】
この第１の収納空間２２に面する収納ボックス２１の後壁２１ｂには、図６（Ａ）に示すように、複数のねじ孔２８が形成されている。これらねじ孔２８は、全てのねじ孔２８が同時に用いられるわけではなく、受光器２（図５）が装着される被装着部Ｋ（図１）に応じて用いられる。例えば、壁に受光器２が装着される場合は、横方向中央に位置するねじ孔２８Ａ，２８Ａを介してねじ止めされる。また、ポールに受光器２が装着される場合は、横方向側方かつ長手方向中央に位置するねじ孔２８Ｂ，２８Ｂ，２８Ｂ，２８Ｂを介してねじ止めされる。
【００３２】
図５の送信器収納部２５には、送信器５０が収納される。送信器５０は、センサ本体６０からの出力信号を無線送信する。センサ本体６０と送信器５０は、図示しない配線で接続される。送信器５０は、市販の汎用のものであり、複数種類の中から任意に選ばれる。そのため、送信器収納部２５の寸法は、前記複数種類のいずれの送信器をも収納できる大きさである。
【００３３】
収納ボックス２１の両側壁２１ｃ，２１ｃの内面には、それぞれ係止溝２１ｃａ，２１ｃａが形成されている。これら係止溝２１ｃａ，２１ｃａは、後述するように、センサ本体６０の取付けに用いられる。
【００３４】
送信器５０は、収納ボックス２１の第１の収納空間２２の送信器収納部２５に収納される。送信器５０の背面が、例えばマジックテープ（登録商標）のような着脱テープ（図示せず)が用いられて、後壁２１ｂの前面に装着される。送信器５０の前方には金属片からなる取付部材５２が配置される。この取付部材５２は、帯状で、第１の収納空間２２の横幅以上の長さを有する。取付部材５２は中心部分にねじ孔５２ａを有し、両端部には係止片５２ｂ，５２ｂが設けられている。送信器５０が送信器収納部２５に収納された状態で、取付部材５２を撓ませて取付部材５２の係止片５２ｂ，５２ｂを収納ボックス２１の両側壁２１ｃ，２１ｃの係止溝２１ｃａ，２１ｃａに係止させることで、取付部材５２が送信器５０の前方で収納ボックス２１に固定される。
【００３５】
センサ本体６０は、光学ユニット６１およびベース６２を有する。光学ユニットは、２つの受光素子５，５（図１）、およびこれら受光素子５，５（図１）の前方にそれぞれ配置された２つのレンズ６３，６３を含む。これらレンズ６３，６３の間には、光軸調整のために用いられる視準器６４が設けられている。ベース６２には、光学ユニット６１を水平方向に回転させる光軸調整部６５が設けられている。
【００３６】
収納ボックス２１にセンサ本体６０が取り付けられて支持される。具体的には、収納ボックス２１の両側壁２１ｃ，２１ｃに装着された取付部材５２に、センサ本体６０が図示しない挿通孔を介して、取付部材５２のねじ孔５２ａにねじ止めによって取り付けられる。そして、送信器５０に装着されたセンサ本体６０に、本体カバー３０が取り付けられる。
【００３７】
センサ本体６０は、本体カバー３０が取り付けられるために、上端部に被係合部６６を有し、下端部にねじ孔６７を有する。これに対して、本体カバー３０は、上述したように係合爪３３（図３（Ｃ））と本体カバー貫通孔３４を有する。本体カバー３０は、本体カバー３０の係合爪３３（図３（Ｃ））がセンサ本体６０の被係合部６６に係合されてから、本体カバー貫通孔３４を通ってねじ体９１がセンサ本体６０ねじ孔６７にねじ込まれて、センサ本体６０に取り付けられる。
【００３８】
第２の収納空間２３が、第１の収納空間２２を構成する背面領域２７から離れた離間領域７２に構成されている。そして、第２の収納空間２３は、電池保持部７１を含む。電池保持部７１は、例えば２つの電池８０，８０を保持する。図６（Ａ）に示すように、電池保持部７１は、コイルばね収容用凹部７１ａ，７１ａを含む。これら凹部７１ａ，７１ａには、それぞれ接触端子となるコイルばね（図示せず）が収容される。これらコイルばね（図示せず）を圧縮しながら、電池８０，８０が電池保持部７１に保持される。
【００３９】
電池保持部７１は、また、上側に上側囲い枠７３、下側に囲い枠７４が設けられている。図５に示すように、上側囲い枠７３は前端部の両側壁に横方向の孔７３ａ，７３ａを有し、下側囲い枠７４は前端部の両角に前後方向の孔７４ａ，７４ａを有する。電池保持部７１が電池８０，８０を保持すると、電池基板７８が電池８０，８０の前面で電池８０，８０に接触するように配置される。具体的には、電池基板７８は、基板突起７８ａ，７８ａを上側の両角に有し、取付用孔７８ｂ，７８ｂを下側の両角に有しており、基板突起７８ａ，７８ａがそれぞれ孔７３ａ，７３ａに嵌め込まれて、取付用孔７８ｂ，７８ｂに挿入されたねじ体（図示せず）が孔７４ａ，７４ａにねじ込まれる。
【００４０】
電池８０，８０を保持する電池保持部７１は離間領域７２に配置されているため、第１の収納空間２２の送信器収納部２５に収納される送信器５０が発信する電波は、離間領域７２の電池保持部７１に保持される電池８０，８０から影響を受けにくく干渉されにくい。これは、送信器５０が市販の汎用のものである場合に、その仕様が様々で予測しにくいため、特に有効である。また、電池８０，８０が背面領域２７から離れた離間領域７２に配置されるため、受光器２の前後方向の長さつまり厚みが小さくなる。
【００４１】
電池保持部７１が保持する電池８０，８０は、第１および第２の収納空間２２をつなぐ図示しない配線孔を通る配線を通じてセンサ本体６０および送信器５０に給電する。なお、送信器５０は上述のように市販の汎用のものであるため、送信器５０には送信器内電池収納部（図示せず）が設けられている。本実施形態においては、電池８０，８０が送信器５０に給電するため、この送信器内電池収納部（図示せず）にはダミーバッテリ（図示せず）が収納される。
【００４２】
前述した電池カバー４０は、電池保持部７１に対して開閉自在に設けられている。そのため電池カバー４０は、閉状態では収納ボックス２１に取り付けられて電池８０，８０を覆う一方、開状態では、電池８０，８０の交換を可能にするように電池保持部７１を開放する保持部開放手段として機能する。
【００４３】
収納ボックス２１の電池保持部７１の下側には、ねじ孔２１ｄが形成され、電池保持部７１の上側には、両側方に係合突起２１ｅ，２１ｅが設けられている。これに対して、電池カバー４０は、上述したように係合フック４２，４２（図４（Ｃ））および電池カバー貫通孔４３を有する。電池カバー４０は、電池カバーの係合フック４２，４２が収納ボックスの係合突起２１ｅ，２１ｅに係合されてから、電池カバー貫通孔４１を通ってねじ体９２が収納ボックスのねじ孔２１ｄにねじ込まれて、収納ボックス２１に取り付けられる。
【００４４】
収納ボックス２１の側方下端部には、いたずらなどによって電池カバー４０が取り外されたことを検知するためのタンパスイッチ８１が設けられている。タンパスイッチ８１は、タンパスイッチ本体８１ａおよび作動子８１ｂを有する。上述した、電池カバー４０に設けられた突起４４が、この作動子８１ｂに対応する。作動子８１ｂは、電池カバー４０の突起４４から力が加えられていない状態ではタンパスイッチ本体８１ａの内部に設けられた内部スイッチ（図示せず）に作用しない。一方、電池カバー４０の突起４４によって押圧されると、作動子８１ｂがタンパスイッチ本体８１ａ方向に押されてタンパスイッチ本体８１ａの内部に設けられた内部スイッチ（図示せず）が例えばオフになる。この内部スイッチがオンになると、内部スイッチを含む回路（図示せず）からタンパ信号が発信されて送信器５０を介して送信される。
【００４５】
図２（Ｃ）に示したように、電池カバー４０の上側の略半リング状の端部４４は、電池カバー４０が収納ボックス２１に取り付けられた状態では、本体カバー３０の取付部３５のうち、貫通孔３４のほぼ上方に位置して、電池カバー４０が取付部３５（図３（Ｃ））の貫通孔３４の少なくとも一部を覆う。このため、第１の収納空間２２（図５）に収納されたセンサ本体６０（図５）に取り付けられた本体カバー３０を係止させるねじ体９１は、電池カバー４０が収納ボックス２１に取り付けられている状態では、アクセス不可能であり、抜かれることはできない。このようにして、電池カバー４０は、本体カバー３０の取付部３５（図３（Ｃ））へのアクセスを阻止する。
【００４６】
このように、図５の本体カバー３０がセンサ本体６０から取り外されるには電池カバー４０が取り外される必要があるため、本体カバー３０がいたずらによって取り外されることを検知するタンパスイッチが本体カバー３０に設けられていなくとも、電池カバー４０の取り外しを検知するタンパスイッチ８１によって、本体カバーがセンサ本体６０から取り外される可能性を検知できる。
【００４７】
次に、この物体検知装置（受光器）の設置および管理について説明する。
設置は、まず、図５の収納ボックス２１が被装着部Ｋ（図１）装着された後に、上述したように、送信器５０が送信器収納部２５に収納されて、センサ本体６０および本体カバー３０が取り付けられ収納ボックス２１によって支持される。
【００４８】
次に、電池８０，８０が電池保持部７１に保持されてから、電池カバー４０が収納ボックス２１に取り付けられる。具体的には、電池８０，８０の前側に電池基板７８が取り付けられてから、電池カバー４０の係合フック４２，４２が収納ボックス２１の係合突起２１ｅ，２１ｅに係合されて、ねじ体９２が貫通孔４１を通ってねじ孔２１ｄにねじ込まれる。このように電池カバー４０が収納ボックス２１に取り付けられる際に、タンパスイッチ８１の作動子８１ｂが突起４４によって押圧される。これによりタンパスイッチ本体８１ａの内部スイッチ（図示せず）がオフになる。
【００４９】
このように設置された受光器２が稼動されると、ある程度の時間が経過してから、１つまたはいくつかの電池８０の交換が必要となる。電池交換は、例えば、電池８０の消耗が図示しない監視手段によって監視されて、図示しない報知手段によってユーザに報知されることが契機であってもよい。代わりに、受光器２の停止によって電池交換の必要性がユーザによって認識されてもよい。
【００５０】
電池８０の交換は、物体検知システムＳ（図１）を警戒モードから非警戒モードに切り換えた後、ユーザによって電池カバー４０が収納ボックス２１から取り外されて行われる。具体的には、ユーザが、ねじ体９２を収納ボックス２１のねじ孔２１ｄから抜いてから、電池カバー４０の係合フック４２，４２と収納ボックス２１の係合突起２１ｅ，２１ｅとの係合を解除して、収納ボックス２１から電池カバー４０を取り外して電池保持部７１を開放する。
【００５１】
次に、ユーザは、電池保持部７１に保持されている一部または全部の電池８０を取り出し、別の新しい電池８０に交換する。そして、電池カバー４０を上述した電池カバー装着の手順で元に戻す。このように、電池８０の交換の際に、センサ本体６０が受光器２から取り外される必要も受光器２が被装着部Ｋ（図１）から取り外される必要もないため、再度の光軸調整が不要である。また、本実施形態では、本体カバー３０は開放されずに電池保持部７１が開放されて電池８０が交換されるため、電池交換がセンサ本体６０に与える影響は最小限である。このように、センサ本体６０が収納ボックス２１から分離されない状態を維持しながら、電池８０，８０は交換される。
【００５２】
物体検知システムＳ（図１）の稼働中に、いたずらなどによって、受光器２のセンサ本体６０および／または電池８０がセンサ支持部２６および／または電池保持部７１から抜き取られる可能性がある。それを防止する措置が以下のように施されている。
【００５３】
電池８０が悪意で抜き取られようとした場合、電池カバー４０が開放される必要がある。ここで、電池カバー４０が開放されると、突起４４がタンパスイッチ８１の作動子８１ｂを押圧していた力が解除されるため、作動子８１ｃのタンパスイッチ本体８１ａへの作用が解除されて、内部スイッチ（図示せず）がオンになる。これにより、内部スイッチを含む回路（図示せず）からタンパ信号が発信されて送信器５０を介して送信される。
【００５４】
センサ本体６０が悪意で取り外されようとした場合、電池カバー４０を先に取り外す必要があるから、電池カバー４０の開放によって、警報信号が出力される。したがって、センサ本体６０にはタンパスイッチがなくてもよい。
【００５５】
本実施形態においては、電池カバー４０は電池保持部７１を前方から覆う構成としたが、電池カバー４０は、受光器２を被装着部Ｋから取り外すことなく、かつ、センサ本体６０を収納ボックス２１から取り外すことがなく、電池カバー４０の開放を許容するものであれば、収納ボックス２１のいかなる場所に取り付けられてもよい。例えば、電池カバー４０は、電池保持部７１を側方から覆うように設けられてもよい。
【００５６】
次に、本発明の第２実施形態にかかる物体検知装置について説明する。本実施形態が第１実施形態にかかる物体検知装置と異なる点は、電池保持部および保持開放手段の構成である。第１実施形態と同一の構成については、同一の符号を付して説明を省略する。
【００５７】
図７（Ａ）および(Ｂ)に示すように、本体カバーと電池カバーは、単一のカバーユニット３８から構成される。すなわち、カバーユニット３８は、本体カバーとして機能する上側カバー部３０と、電池カバーとして機能する下側カバー部３５とを含む。収納ボックス２１には、送信器５０を収納する送信器収納部２５が構成されている。カバーユニット３８の上側カバー部３０内において、センサ本体６０が支持される。
【００５８】
電池保持部７１は、送信器収納部２５の下側に位置して収納ボックス２１内に構成される。この電池保持部７１は、下方に開口７４を有する凹部７５を含む。電池保持部７１は、また、保持開放手段４０Ａを含む。保持開放手段４０Ａは、センサ本体６０が収納ボックス２１に支持された状態を維持しながら、つまり、センサ本体６０が収納ボックス２１から分離されない状態を維持しながら、電池８０，８０の交換を可能にするように、電池保持部７１を開放する。具体的には、保持開放手段４０Ａは、電池８０，８０を収納して電池保持部７１の凹部７５に受容れられる収納箱４５を含む。収納箱４５は、電池保持部７１の開口７４を介して凹部７５に対してスライドにより抜差し自在に設けられている。この収納箱４５は、収納ボックス２１に対して、例えばねじ止めによって固定される。
【００５９】
本実施形態では、まず収納箱４５に電池８０，８０が収納されてから、次に収納箱４５が凹部７５に挿入されて、電池８０，８０を保持部７１に保持させる。そして、電池８０の交換は、凹部７５に受容れられている収納箱４５が開口７４を介して引き出されてから、収納されている電池８０，８０の一方または両方の電池が別の新しい電池に交換されて収納箱４５に収納されて行われる。
【００６０】
このようにして、本実施形態でも、本体カバー３０は開放されずに電池保持部７１が開放されて電池８０が交換されるため、電池交換がセンサ本体６０に与える影響は最小限である。
【００６１】
なお、本実施形態において、電池保持部７１の開口７４は受光器２の下方に設けられるものとしたが、側方に設けられてよい。
【００６２】
また、本実施形態において、単一のカバーユニット３８を設けるものとしたが、別個の本体カバーと電池カバーとが設けられてもよい。
【００６３】
上記各実施形態に係る物体検知装置は、例えば図５に示したように、収納ボックス２１は送信器収納部２５と電池保持部７１を含む単一物からなるものとしたが、送信器収納部２５を含む第１の収納空間２２と、電池保持部７１を含む第２の収納空間２３とがそれぞれ別体に形成されてもよい。
【００６４】
上記各実施形態に係る物体検知装置として、受光器２について説明したが、投光器１についても同様に本物体検知装置に該当する。投光器１では、送信器収納部２５が収納する送信器５０は、タンパ信号を送信する。
【００６５】
上記各実施形態に係る物体検知装置は、ＡＩＲ型の物体検知システムの投光器または受光器に限定されず、ＰＩＲ型の物体検知装置から構成されてもよい。ＰＩＲ型の場合には、電池保持部を開放する保持部開放手段によって、電池交換後における再度の検知エリア調整が不要となる。
【００６６】
なお、上記各実施形態において、検知線として赤外線ビームが用いられているが、超音波や電波を用いたものであってもよい。
【符号の説明】
【００６７】
２            物体検知装置
５            検知素子
２１          収納ボックス
２５          送信器収納部
４０，４０Ａ  保持部開放手段
５０          送信器
６０          センサ本体
６０ａ        センサ本体の背面
７１          電池保持部
８０          電池
【図１】
2014167741.tif 000003
【図２】
2014167741.tif 000004
【図３】
2014167741.tif 000005
【図４】
2014167741.tif 000006
【図５】
2014167741.tif 000007
【図６】
2014167741.tif 000008
【図７】
2014167741.tif 000009